(57)【要約】【課題】ガラス扉のガラスユニットが嵌め込まれる開口部の下側にガラスユニットの下端側に設けられた係合突出部に係合するとともに、係合突出部を下側から受ける係合受部を設けた場合に、この係合受部に遊技球が嵌まり込むのを防止できる遊技機を提供する。【解決手段】ガラスユニットの下端部には左右にそれぞれ係合突出部１５が設けられている。ガラス扉には、ガラスユニットが嵌め込まれる開口部の下側に、係合突出部１５が係合するとともに、係合突出部１５を下から受ける係合受部２７が設けられている。係合受部２７の係合突出部１５が挿入される挿入口２７ｃは、その前後幅が遊技球の直径に対して、遊技球が前記挿入口２７ｃに圧入困難になるように設定された長さだけ狭くされている。【選択図】図１１
2013150746.tif 000002
【特許請求の範囲】
【請求項１】
遊技球が流下する遊技領域を備えている遊技盤と、
当該遊技盤の前面を、少なくとも遊技領域を視認可能でかつ開閉自在に覆うガラス扉と、
前記ガラス扉に着脱自在に設けられ、前記遊技領域を視認可能に覆うガラス板を備えるガラスユニットと、
前記ガラスユニットの上端部の左右に設けられている被固定部と、
前記ガラスユニットの下端部の左右に下側に突出して設けられている係合突出部と、
前記ガラス扉に設けられ、前記ガラスユニットが着脱自在にはめ込まれる開口部と、
前記ガラス扉の前記開口部の上側の左右に設けられ、前記開口部に嵌めこまれた状態の前記ガラスユニットの前記被固定部を固定および固定解除する固定部材と、
前記ガラス扉の前記開口部の下側の左右に設けられ、前記ガラスユニットの前記係合突出部が挿入されることにより、前記係合突出部に係合する係合受部と、
前記係合受部の前記係合突出部が挿入される挿入口とを備える遊技機において、
前記係合受部は、前記ガラスユニットの上側が後側に倒れこむ方向と、前記開口部に嵌め込めるように前側に戻る方向とに回転自在に前記係合突出部を支持し、
前記挿入口は、前後方向の幅が、遊技球の直径に対して、遊技球が前記挿入口に圧入困難になるように設定された長さだけ狭くされていることを特徴とする遊技機。
【請求項２】
前記係合突出部の下端部には、後方に突出するとともに、後端面が断面略円弧状に凸になっている円弧凸部が設けられ、
前記係合受部には、前記円弧凸部の後端面に当接して、前記ガラスユニットが後側に倒れる方向および前側に向かって前記ガラス扉の開口部に嵌る方向に前記円弧凸部が回転するように案内する断面略円弧状の円弧ガイド片を備え、前記円弧ガイド片の先端部が、前記円弧凸部の最も後側に突出する部位より上側で、かつ、前記部位より前側に回り込んで形成されていることを特徴とする請求項１に記載の遊技機。
【発明の詳細な説明】
【技術分野】
【０００１】
本発明は、発射された遊技球が流下する遊技領域の前面をガラス板で覆った状態の遊技機に関する。
【背景技術】
【０００２】
パチンコ遊技機等の遊技球を遊技領域に発射して、遊技領域内を流下する遊技球に基づいて、遊技を行う遊技機においては、遊技領域の前面側が遊技領域を視認可能に二重ガラスにより覆われている。
このような遊技機は、例えば、遊技店の島設備に固定される矩形枠状の機枠と、機枠の前面側に扉状に開閉自在に設けられるとともに、前面側に遊技領域を備える遊技盤を収容した前面枠と、前面枠の前面側に扉状に開閉自在に設けられ、上述の二重ガラスを備えた、ガラス扉とを備えている。
【０００３】
また、ガラス扉には、例えば、上述の二重ガラス板を備えたガラスユニットが着脱自在に設けられている。ガラス扉には、ガラスユニットが嵌め込まれる開口部が設けられ、この開口部の範囲には、その後ろに遊技領域全体が重なるようになっており、遊技領域全体を二重ガラス板越しに視認できるようになっている。
【０００４】
ガラスユニットは、その上端部側の左右に被固定部が設けられ、下端側の左右に下側に突出する係合突出部が設けられている。
それに対して、ガラス扉には、ガラスユニットが嵌め込まれる開口部の下側に、ガラスユニットの係合突出部をガラスユニットが係合突出部を回転中心として後ろ側に倒れる方向およびその逆に前側に立ち上がって開口部に嵌め込まれる方向とに回動自在に支持する係合受部が設けられている。なお、ガラスユニットの取り付けは、ガラス扉の背面側から行われている。
【０００５】
また、ガラス扉の開口部の上側には、ガラスユニットの被固定部が係止された状態で操作レバー（ツマミ）によりロックして固定する固定部材が設けられている。
例えば、このようにガラス扉の開口部に対して着脱自在なガラスユニットを備える遊技機が開示されている（例えば、特許文献１参照）。
【０００６】
このようにガラスユニットが着脱自在になっている遊技機では、遊技機の製造時（ガラス扉の取り付けからガラスユニットの取り付けまでの組立時）、遊技機の出荷等の際の搬送時、遊技機の設置時、遊技機の修理やメンテナンス時（ガラスユニットの交換等）に、ガラスユニットがガラス扉から外される。なお、遊技機の搬送時や設置時には、ガラスユニットを取り外しておくことで、ガラスユニットのガラスが割れるのを防止でき、かつ、ガラスユニットが取り付けられていない遊技機の取り扱いが容易になる。なお、ガラスユニットの重量は、遊技機の全重量に占める割合が大きく、取り外すと遊技機が軽くなる。
【先行技術文献】
【特許文献】
【０００７】
【特許文献１】特開２００７−２７５２６５号公報
【発明の概要】
【発明が解決しようとする課題】
【０００８】
ところで、ガラス扉側に設けられ、ガラスユニットの下端部の係合突出部が回転自在に受けられる係合受部は、その係合突出部が挿入されて回転自在に受けられる部分がスリット状となっている。
ここで、ガラスユニットを外した状態で、遊技球が発射されたりすると、遊技球が前記係合受部のスリット部分に嵌まり込んでしまう場合があった。
また、遊技球が完全に嵌まり込んだ状態ではなく、スリットに載った状態であっても、例えば、遊技球に気づかずにガラスユニットを取り付けようとして、遊技球の上に係合突出部を載せてしまうと、係合受部が弾性変形して、遊技球が圧入されて嵌まり込んでしまう虞もあった。
【０００９】
また、この場合に、ガラスユニットの係合突出部を係合受部に係合させることができない状態となるが、この際の作業者は、例えば、両手でガラスユニットを持った状態なので、遊技球を取り除くことができず、一度ガラスユニットを置くなどする必要がある。
このような場合に、ガラスユニットを落としたり、ガラスユニットをぶつけたりするミスを誘発する虞があった。
また、係合受部のスリットに嵌まり込んだ遊技球は、球形であるため取扱い難く、係合受部のスリット部分から取り外すのに手間がかかっていた。特に遊技球が押されて係合受部が弾性変形して、遊技球がスリットに弾性力で挟まれた状態となっていると、遊技球を取り外すのにさらに手間がかかった。
【００１０】
本発明は、前記事情に鑑みて為されたもので、ガラスユニットをガラス扉に着脱自在にするとともに、ガラス扉のガラスユニットが嵌め込まれる開口部の下側にガラスユニットの下端側に設けられた係合突出部に係合するとともに、係合突出部を下側から受ける係合受部を設けた場合に、この係合受部に遊技球が嵌まり込むのを防止して、ガラスユニットの取り付け作業を効率化できる遊技機を提供することを目的とする。
【課題を解決するための手段】
【００１１】
前記課題を解決するために、請求項１に記載の遊技機は、遊技球が流下する遊技領域を備えている遊技盤と、
当該遊技盤の前面を、少なくとも遊技領域を視認可能でかつ開閉自在に覆うガラス扉と、
前記ガラス扉に着脱自在に設けられ、前記遊技領域を視認可能に覆うガラス板を備えるガラスユニットと、
前記ガラスユニットの上端部の左右に設けられている被固定部と、
前記ガラスユニットの下端部の左右に下側に突出して設けられている係合突出部と、
前記ガラス扉に設けられ、前記ガラスユニットが着脱自在にはめ込まれる開口部と、
前記ガラス扉の前記開口部の上側の左右に設けられ、前記開口部に嵌めこまれた状態の前記ガラスユニットの前記被固定部を固定および固定解除する固定部材と、
前記ガラス扉の前記開口部の下側の左右に設けられ、前記ガラスユニットの前記係合突出部が挿入されることにより、前記係合突出部に係合する係合受部と、
前記係合受部の前記係合突出部が挿入される挿入口とを備える遊技機において、
前記係合受部は、前記ガラスユニットの上側が後側に倒れこむ方向と、前記開口部に嵌め込めるように前側に戻る方向とに回転自在に前記係合突出部を支持し、
前記挿入口は、前後方向の幅が、遊技球の直径に対して、遊技球が前記挿入口に圧入困難になるように設定された長さだけ狭くされていることを特徴とする。
【００１２】
請求項１に記載の発明においては、ガラス扉に着脱自在なガラスユニットの下側の左右に設けられた係合突出部を支持する係合受部の前記係合突出部が挿入される挿入口の前後幅が、遊技球が前記挿入口に圧入困難になるように設定された長さだけ狭くされているの、係合受部に遊技球が嵌まり込む状態となるのを防止できる。
【００１３】
なお、圧入困難とは、例えば、人間の指の力や、ガラスユニットの荷重程度の力では、遊技球が係合受部の挿入口に圧入されないことを示すものであるが、圧入することが完全に不可能な状態も含むものであり、例えば、無理に遊技球を圧入した場合に係合受部が破損してしまうような場合も含むものである。
【００１４】
また、係合受部の挿入口の前後方向の幅における前後方向、すなわち、ガラス扉およびガラスユニットにおける前後方向とは、遊技機で遊技者が遊技している状態において、遊技者を向く側を前とし、遊技盤を向く側を後とする方向であり、ガラス扉のガラスユニットのガラス面に略直交する方向である。
【００１５】
ここで、挿入口の前後幅が遊技球の直径より広いと、挿入口内に遊技球が入り込んで遊技球が取りづらくなり、遊技球の除去に手間がかかる。但し、この場合には、遊技球を２本の指で掴んだり、細い棒状の部材（ペン等）で掬い上げたりすることで、取り外すことができる。
それに対して、挿入口の前後幅が遊技球と同じか、少しだけ狭い状態の場合に、遊技球が挿入口に圧入された状態となる虞があり、挿入口を形成する部材の弾性変形により嵌り込むと、さらに挿入口からの遊技球の除去が困難になる
【００１６】
したがって、挿入口を単に遊技球の直径より狭くするのではなく、係合受部を構成する部材の弾性変形を考慮し、例えば、ガラスユニットの重さレベルの荷重が作用しても、装入口に遊技球が嵌まり込まないように設定された長さだけ、装入口の前後方向の幅を遊技球の直径より狭くする必要がある。
【００１７】
なお、遊技球が装入口に圧入されるかどうかは、遊技球にかかる荷重と、係合受部の材質（弾性係数等）や形状と、係合受部の挿入口の前後幅とに依存することになる。そこで、例えば、遊技球にかかる荷重をガラスユニットの重さ、または、ガラスユニットの１／２または１／３程度の重さとし、係合受部の材質は現状で用いられている合成樹脂とし、実験的に係合受部の挿入口の幅を変更することにより、最適な挿入口の幅を設定することができる。
【００１８】
これにより、挿入口に遊技球が嵌まり込むことがなく、ガラス扉へのガラスユニットの取り付け作業を効率化することができる。すなわち、遊技球が挿入口にあるのに気づかずに、ガラスユニットを取り付けようとして、ガラスユニットが取り付けられなかったり、挿入口の遊技球をガラスユニットで押し込んでさらに遊技球が取りづらくなったりするのを防止できる。また、ガラスユニットを挿入する前に、挿入口に嵌った遊技球を取り外したりする作業を容易にすることができる。
【００１９】
なお、遊技球が挿入口に嵌り込まなくても、遊技球が挿入口に載った状態では、遊技球を挿入口から容易に除去できるとしても、遊技球を取り除かないとガラスユニットが取り付けられないので、例えば、挿入口の部分に遊技球が載りづらい構造となっていることが好ましい。
なお、ここで、前とは、遊技機の前面に対応し、後とは遊技球の背面に対応する。従って、遊技機の背面から前面に向かう方向が前方向で、遊技機の前面から背面に向かう方向が後方向である。
【００２０】
請求項２に記載の遊技機は、前記係合突出部の下端部には、後方に突出するとともに、後端面が断面略円弧状に凸になっている円弧凸部が設けられ、
前記係合受部には、前記円弧凸部の後端面に当接して、前記ガラスユニットが後側に倒れる方向および前側に向かって前記ガラス扉の開口部に嵌る方向に前記円弧凸部が回転するように案内する断面略円弧状の円弧ガイド片を備え、前記円弧ガイド片の先端部が、前記円弧凸部の最も後側に突出する部位より上側で、かつ、前記部位より前側に回り込んで形成されていることを特徴とする。
【００２１】
請求項２に記載の発明においては、係合突出部に円弧凸部が設けられ、係合受部に前記円弧凸部の後端面に当接して、ガラスユニットの回転移動を案内する円弧ガイド片を備え、この円弧ガイド片が、円弧凸部の最も後側に突出する部位より上側で前側に回り込むように形成されているので、円弧凸部が円弧ガイド部に係合した状態で、円弧凸部の上側への移動が規制される。
円弧凸部の上側への移動が規制されることで、円弧凸部を有するガラスユニットの上側への移動が規制される。
【００２２】
ここで、ガラスユニットが取り付けられた状態のまま、遊技機を、例えば、遊技店の島設備から取り外すような場合に、取り外した遊技機を少し手荒に床に置いた場合に、床に置いた際の衝撃で、ガラスユニットが遊技機に対して上側に移動するように力がかかる場合がある。この場合に、従来、ガラスユニットの下側は、ガラスユニットが下方に移動しないように受けた状態なので、ガラスユニットの上側への移動を規制せず、ガラスユニットの上側へ移動しようとする力は、ガラスユニットの上側の被固定部や、被固定部を固定している固定部材にかかることになる。これによって、被固定部や固定部材にひびが入るなどの問題が生じる虞があった。
【００２３】
それに対して、上述のように円弧凸部と円弧ガイド部により、ガラスユニットの上側への移動が規制されることで、遊技機を置いた際の衝撃でガラスユニットに上側への力が作用しても、固定部材と円弧ガイド部とに力が分散して作用し、被固定部や固定部材のひび等の破損を防止することができる。
【００２４】
また、円弧ガイド部の先端部が円弧凸部の最も後側の部位より前側に延出することになり、これによって、挿入口の幅を狭めることが可能になる。すなわち、円弧ガイド部の先端部を前側に延出させることによって、ガラスユニットの上側への移動を規制できるとともに、挿入口の幅を遊技球が挿入口に圧入できないように狭めることができ、２つの効果を得ることができる。
【発明の効果】
【００２５】
本発明によれば、ガラスユニットの取り付け作業の作業性を向上することができる。
【図面の簡単な説明】
【００２６】
【図１】本発明の実施の形態に係る遊技機の発射操作装置を備える遊技機を示す斜視図である。
【図２】ガラス扉を開放し、前面枠を少し開放した前記遊技機を示す斜視図である。
【図３】前記ガラス扉を開放した前記遊技機を示す斜視図である。
【図４】ガラスユニットを外した前記ガラス扉のベースになる樹脂板の背面側を示す斜視図である。
【図５】ガラスユニットを外した前記ガラス扉のベースになる樹脂板を示す背面図である。
【図６】図５のＡ−Ａ矢視断面図である。
【図７】図６の上部の拡大図である。
【図８】図６の下部の拡大図である。
【図９】図５の上部の要部拡大図である。
【図１０】図５の下部の要部拡大図である。
【図１１】ガラスユニットの下端の係合突出部と、ガラス扉の係合受部との係合を示す要部断面図である。
【発明を実施するための形態】
【００２７】
本発明の実施の形態について図面を参照して説明する。
図１〜図３に示すように、パチンコ遊技機は、遊技店の島設備に設置される縦長の矩形状の機枠１と、機枠１に扉状に開閉自在に取り付けられた前面枠２と、前面枠２に収納された遊技盤３（図２に図示）と、前面枠２の前面に扉状に開閉自在に取り付けられ、中央に大きく開口部４ａが形成されたガラス扉４とを備える。
【００２８】
機枠１は、パチンコ遊技機のベースとなる部分であり、島設備のパチンコ遊技機設置位置に、固定される。
前面枠２は、機枠１に対して、左側側縁部が回動自在に支持されており、機枠１を島設備に設置した状態で、裏面側のメンテナンス等が可能になっている。そして、前面枠２内部には、遊技盤３が収納されて固定されているとともに、遊技盤３の前面に設けられる遊技領域３ａに遊技球を発射する発射装置や、賞球としての遊技球の払出装置等が設けられている。
【００２９】
遊技盤３は、その前面側に遊技球が流下する遊技領域３ａを備える。遊技盤３の遊技領域３ａには、遊技球が入賞可能な入賞口と、入賞しなかった遊技球を排出する排出口等が設けられている。また、裏面側には、入賞口や排出口に流入した遊技球を島設備側に排出する排出球経路や、上述の賞球の払出装置に島設備側から賞球（遊技球）を供給する経路や、各種制御装置が設けられている。
【００３０】
ガラス扉４は、上述の遊技盤３の遊技領域３ａに対応する大きさの開口部４ａが設けられ、当該開口部４ａにガラスユニット５が嵌め込まれて着脱自在に固定されている。ガラスユニット５は、図６に示すように、間に間隔をあけて二重に配置されたガラス板５ａ（２枚の透明板）を備える。なお、ガラスユニット５とガラス扉４の本体との関係については、後に詳細に説明する。
【００３１】
ガラス扉４の開口部４ａより下側には、遊技球を収容するとともに、払い出された賞球が流入する上皿６および上皿６から溢れる遊技球を収容する下皿７が設けられている。また、前面枠２の右下部には、発射操作ハンドル８が設けられている。ガラス扉４の上皿６の向かって右側には、遊技者が貸球の払出操作等を行うための操作部９が設けられている。また、上皿６の略中央には、遊技者の操作に基づく遊技の演出を可能にする演出用ボタン１０が設けられている。また、ガラス扉には、スピーカ１１や、演出用のランプ（ＬＥＤ）等が備えられている。なお、スピーカとしては、上述のスピーカ１１に加えて機枠１側にスピーカ１２が備えられている。
【００３２】
なお、図２においては、ガラス扉４を開放するとともに、前面枠２を少し開放した状態としたが、ガラス扉４および前面枠２を閉塞状態に施錠するロック装置１４は、キーを挿入して一方側に回転するとガラス扉４のロックが解錠され、他方側に回転すると前面枠２のロックが解錠される。
【００３３】
図４〜図１１を参照して、ガラスユニット５およびガラス扉４のガラスユニット５の取り付け構造について説明する。なお、図４から図１１に示すガラス扉４は、ガラス扉４のベースとなる合成樹脂製の板体部分であり、合成樹脂製の板体部分に取り付けられる各部材の図示を省略している。
【００３４】
ガラスユニット５は、２枚のガラス板５ａを平行かつ間に間隔をあけて重ねて配置した状態で、これらガラス板５ａの周縁部において、これらガラス板５ａを接合部材５ｂにより一体に接合したものである。
また、ガラスユニット５の上部には、図２および図３中、上側に向かって突出するとともに、上面が平面となった突出部５ｃが設けられ、この突出部５ｃがガラス扉４の裏面側の開口部４ａの上側に設けられた収容部４ｂに収容されて、ガラスユニット５の上方位置をガラス扉４に対して背面側から保持している。ガラスユニット５の他の部位における保持については後述する。
【００３５】
図７に示すように、ガラスユニット５の上端部の左右には、被固定部１３が上側に突出して設けられている。
被固定部１３は、板状に形成されるとともに後述の固定部材２５に固定された際に固定部材２５に係合する係合孔部１３ａを備えている。また、被固定部１３の基端部は、接合部材５ｂに一体に設けられた形状になっている。被固定部１３は、その前面がガラスユニット５の前側のガラス板５ａの前面より少し前に配置されている。
【００３６】
また、ガラスユニット５のガラス板５ａは、その上端側が円弧状に形成され、中央が高く、左右に中央から離れるほど低くなっているので、被固定部１３の基端部の高さ位置は、ガラス板５ａの左右の中央部の上端より低く、被固定部１３の先端部がガラス板５ａの上端と略同じ高さ位置になっている。
被固定部１３は、ガラス扉４の後述の固定部材２５により、ガラス扉４に固定された状態と、固定を解除された状態とに切り替え可能に固定される。
【００３７】
図８および図１１に示すようにガラスユニット５の下端部の左右には、それぞれガラス板５ａの下側縁部の接合部材５ｂか下側に突出する係合突出部１５が設けられている。係合突出部１５は、同図中、下に向かって突出する板状の板部１５ａと、板部１５ａの下端部から後方（同図中、右方）に突出する円弧凸部１５ｂとを備える。板部１５ａは、ガラス板５ａ面に対して平行に配置され、ガラス板５ａの下端および接合部材５ｂの下端より下側に突出している。また、板部１５ａの前後位置は、ガラスユニット５の厚さ方向中央位置よりもより少し前側で、前側のガラス板５ａの前面よりは後寄りとなっている。
【００３８】
円弧凸部１５ｂは、板部１５ａの下端から後方にＬ字状に屈曲して設けられている。そして、円弧凸部１５ｂの後を向く端面は、その断面が半円状に形成されている。この半円は、円を鉛直方向に沿った線で半分に切断した形状である。これにより、円弧凸部１５ｂの前後（図１１中、左右）方向における厚さの略中央が、最も後方に突出する部位となっている。
この係合突出部１５は、ガラス扉４の後述の係合受部２７に係合する。
【００３９】
図４〜図７および図９に示すように、ガラス扉４の開口部４ａの上側の左右には、上述のガラスユニット５の被固定部１３を固定する固定部材２５が、ガラス扉４に固定されるガラスユニット５の被固定部１３の位置に対応して設けられている。
また、固定部材２５は、ガラス扉４の背面側に設けられている。固定部材２５は、ガラス扉４にガラスユニット５を設置した際に、被固定部１３が配置される位置の上側に設けられて、後方に突出する軸部２５ａと、軸部２５ａに回転自在に支持される回転部材２５ｂと、回転部材２５ｂの回転を操作するための操作レバー２５ｃと、回転部材２５ｂの回転範囲を規制するストッパ２５ｄとを備える。
【００４０】
軸部２５ａに回転部材２５ｂが回転自在に支持されるとともに、回転部材２５ｂに一体に回転可能に操作レバー２５ｃが設けられている。回転部材２５ｂは、被固定部１３を固定する状態では、軸部２５ａから下側に向かって延出する配置となり、被固定部１３の固定を解除する状態では、固定する状態から回転部材２５ｂが９０度回転して、軸部２５ａから外側（背面から見て右の固定部材２５ｂにおいて右側、左の固定部材２５において左側）を向く側になる。なお、固定する状態から９０度以上の回転は、ストッパ２５ｄにより規制される。
【００４１】
また、回転部材２５ｂには、被固定部１３を固定するように被固定部１３に重なった状態で、被固定部１３の係合孔部１３ａに係合する係合凸部２５ｅが設けられている。係合凸部２５ｅは、回転部材２５ｂの前面から前側に突出して設けられ、回転部材２５ｂの前側に重なった状態の被固定部１３の係合孔部１３ａに先端が挿入された状態に係合する。
【００４２】
図４〜図６、図８、図１０および図１１に示すように、ガラス扉４の開口部４ａの下側の左右には、上述のガラスユニット５の係合突出部１５を受けてガラスユニット５の下側への移動を規制する係合受部２７が、ガラス扉４に固定されるガラスユニット５の係合突出部１５の位置に対応して、ガラス扉４の背面に設けられている。なお、左右の係合受部２７は、その左右幅などが左右で異なるが係合突出部１５が係合する部分の断面構造は同じになっている。
【００４３】
係合受部２７は、図８および図１１に示すように、係合突出部１５が挿入された状態で、係合突出部１５の下方の移動を規制する略水平な板状の支持板部２７ａと、この支持板部２７ａの後方から上側に円弧状に延出して形成される円弧ガイド片２７ｂと、前記円弧ガイド片２７ｂの先端との間に係合突出部１５を挿入する挿入口２７ｃを構成する縁部材２７ｄとを備える。
【００４４】
前記円弧ガイド片２７ｂは、上述の係合突出部１５の円弧凸部１５ｂの端面に沿って断面円弧状に形成されている。したがって、円弧ガイド片２７ｂは、円弧凸部１５ｂの下端から最も後方に突出した部位より上側に延出するとともに、前記部位より前側に回り込んだ形状となっている。
したがって、円弧凸部１５ｂが円弧ガイド片２７ｂの凹側になる部分に入り込んだ状態では、円弧凸部１５ｂの上側への移動が、円弧ガイド片２７ｂの先端部により規制される。
【００４５】
また、円弧凸部１５ｂが円弧ガイド片２７ｂの凹側になる部分に入り込んだ状態では、係合突出部１５の板部１５ａが後側に倒れる方向と、前側に立ち上がる方向との回転移動が案内されるようになっている。また、円弧凸部１５ｂの円弧ガイド片２７ｂ内での回転は、ガラスユニット５がガラス扉４の開口部４ａに嵌め込まれることで、前側の回転が板部１５ａ（ガラスユニット５）が略垂直なった状態で規制される。
【００４６】
また円弧ガイド片２７ｂの先端と、板部１５ａとの接触等により、ガラスユニット５が後側に倒れる方向の回転が規制されるが、円弧凸部１５ｂを円弧ガイド片２７ｂから離すように移動しながら円弧凸部１５ｂを下側に向けて支持板部２７ａの上面を転がすようにすることで、ガラスユニット５の倒れる方向への回転範囲が広くなるようになっている。
【００４７】
また、図１１に示すように、円弧ガイド片２７ｂの先端２７ｅと、縁部材２７ｄの先端２７ｆとの間が係合突出部１５を挿入する挿入口２７ｃとなっている。なお、挿入口２７ｃは、スリット状であってもよい。この挿入口２７ｃの前後幅は、上述の円弧ガイド片２７ｂの先端２７ｅと、縁部材２７ｄの先端２７ｆとの間の最短距離となる。この際に、上述の円弧ガイド片２７ｂの先端２７ｅが、縁部材２７ｄの先端２７ｆより下にあるので、前記最短距離は、斜めに傾斜した線上の距離である。
【００４８】
この挿入口２７ｃの前後幅は、遊技球の直径に対して設定した長さだけ短いものとされている。この設定長さは、例えば、実験的に求められるものであり、例えば、ガラスユニット５の重量の半分程度に対応する荷重で、遊技球を押し込んでも、遊技球が挿入口２７ｃに嵌まり込んだり、挿入口２７ｃの下側に落ち込んだりしない長さである。ただし、挿入口２７ｃの前後幅は、係合突出部１５が挿入可能な最低限の前後幅より広い必要があり、それより、挿入口２７ｃの幅が狭くなってしまうような場合に、円弧ガイド片２７ｂや縁部材２７ｄの厚みを厚くしたり、材質を硬いものに変えたりする必要がある。
【００４９】
また、円弧ガイド片２７ｂの先端２７ｅと、縁部材２７ｄの先端２７ｆとの間の挿入口２７ｃに遊技球が載るような状態となった場合に、遊技球がそのまま挿入口２７ｃに載って安定した状態となりにくい構造となっていることが好ましい。
例えば、円弧ガイド片２７ｂの先端２７ｅと、縁部材２７ｄの先端２７ｆとを上から垂直に見た場合の水平方向の距離が遊技球の半径以下で、かつ。円弧ガイド片２７ｂの先端２７ｅと、縁部材２７ｄの先端２７ｆとを横から水平に見た場合の垂直方向の距離が遊技球の半径以下で、かつ、０より長いことが好ましい。
【００５０】
このような遊技機において、ガラス扉４のガラスユニット５を取り付ける際には、機枠１に対してガラス扉４を開放した状態で、ガラス扉４の背面側でガラスユニット５を取り付ける。この際には、ガラスユニット５を斜めにした状態で、ガラスユニット５の下端部側の係合突出部１５を挿入口２７ｃから係合受部２７内に挿入する。この状態で、係合突出部１５の円弧凸部１５ｂが支持板部２７ａに接触した状態となる。
【００５１】
この状態で、ガラスユニット５の上端を前側に向けて回転しながらガラスユニット５を立ち上げていくと、円弧凸部１５ｂが円弧ガイド片２７ｂの凹部内に入り込んで円弧凸部１５ｂが円弧ガイド片２７ｂにガイドされる状態となった後に、ガラスユニット５がガラス扉４の開口部４ａに嵌まり込んだ状態となる。
【００５２】
なお、この際にガラス扉４の固定部材２５が、ガラスユニット５の被固定部１３の固定を解除する位置に配置されている必要がある。すなわち、固定部材２５の回転部材２５ｂが外側を向いて略水平になっている必要がある。
ガラスユニット５が開口部４ａに嵌まり込んだ状態で、固定部材２５の回転部材２５ｂを操作レバー２５ｃを用いて回転することで、固定部材２５を下向いた固定位置とすることで、被固定部１３の後側に回転部材２５ｂが重なるとともに、被固定部１３の係合孔部１３ａに固定部材２５の係合凸部２５ｅが係合した状態になる。
【００５３】
これにより、ガラスユニット５がガラス扉４に固定される。また、ガラス扉４からガラスユニット５を取り外す際には、固定部材２５を非固定状態にして、ガラスユニット５を後ろ側に斜めに倒して、係合突出部１５を係合受部２７から抜くようにガラスユニット５を斜め上側に移動する。
【００５４】
このような遊技機においては、上述のように遊技球が係合受部２７の挿入口２７ｃに嵌まり込むのを防止できるとともに、係合受部２７の挿入口２７ｃに遊技球が載った状態に保持されるのを防止できるので、ガラス扉４にガラスユニット５を取り付けるために、ガラスユニット５の係合突出部１５を係合受部２７に挿入する際に、係合受部２７の挿入口２７ｃ部分に載った遊技球や挿入口２７ｃに嵌り込んだ遊技球がなく、これらの遊技球を取り除くような作業をする必要がない。したがって、ガラスユニット５をガラス扉４に固定することができる。すなわち、ガラスユニット５のガラス扉４への取り付け作業の作業性を向上することができる。
【００５５】
特に、遊技球が挿入口２７ｃに嵌まり込んだり、それより下に落ちた状態となり、遊技球の除去作業に比較的手間取る場合に比較して、ガラスユニット５の取り付け作業を大幅に短くできる。これにより、多くの遊技機に対してガラスユニット５の取り付け作業を行うような場合に、いくつかの遊技機で遊技球の除去作業が必要となるようなことがなく、作業時間を短縮することができる。
【００５６】
また、ガラスユニット５の係合突出部１５の円弧凸部１５ｂの上側にガラス扉４の係合受部２７の円弧ガイド片２７ｂが回り込む形状となっているので、ガラスユニット５がガラス扉４に固定された状態のパチンコ遊技機を床に置いた際の衝撃で、ガラスユニット５が上側に上がって、被固定部１３や固定部材２５が破損するのを防止できる。
【００５７】
また、円弧ガイド片２７ｂの先端部を円弧凸部１５ｂの上側で前側に回り込むように延ばす構成とすることで、挿入口２７ｃの前後幅を狭めるとともにガラスユニット５の上側への移動を防止できることになり、上述のような２つの効果を両方共得ることができる。
【００５８】
以上、本発明者によってなされた発明を適用した実施の形態について説明したが、この実施の形態による本発明の開示の一部をなす論述および図面により本発明は限定されることはない。すなわち、この実施の形態に基づいて当業者等によりなされる他の実施の形態、実施例および運用技術等は全て本発明の範疇に含まれることは勿論であることを付け加えておく。
【符号の説明】
【００５９】
３      遊技盤
３ａ    遊技領域
４      ガラス扉
４ａ    開口部
５      ガラスユニット
１３    被固定部
１５    係合突出部
１５ｂ  円弧凸部
２５    固定部材
２７    係合受部
２７ｂ  円弧ガイド片
２７ｃ  挿入口
【図１】
2013150746.tif 000003
【図２】
2013150746.tif 000004
【図３】
2013150746.tif 000005
【図４】
2013150746.tif 000006
【図５】
2013150746.tif 000007
【図６】
2013150746.tif 000008
【図７】
2013150746.tif 000009
【図８】
2013150746.tif 000010
【図９】
2013150746.tif 000011
【図１０】
2013150746.tif 000012
【図１１】
2013150746.tif 000013